(57)【要約】      （修正有）【課題】正面投影面積が増加しないため空気抵抗が増加せず、ブースト時にインテークカバーによる強い衝撃波が発生しないため大きな造波抵抗が発生しないインテークを有する飛しょう体を提供する。【解決手段】超音速空気取り入れ口２のランプ１３をスライド可能とし、ブースト時においてはインテーク入口をふさぐようにランプ位置を前方にスライドさせ、ラム燃焼時にはランプの前方に境界層を吸い込まないようにするための溝３１を形成するように、インテークを後方にスライドさせることにより、エンジン性能や飛しょう性能の劣化を防止する。【選択図】図２
2015168314.tif 000002
【特許請求の範囲】
【請求項１】
外周に、開口面が燃焼室に通じる空気取り入れ口を有し、当該空気取り入れ口周辺の外周面に溝が形成された胴体と、
前記空気取り入れ口の周囲を覆うカバーと、
前記溝の底面に接触して前記胴体に取り付けられ、前記空気取り入れ口に向かって前後方向にスライド可能に支持されるとともに、外形が傾斜曲面形状をなすランプと、
を備え、
前記ランプは、前記燃焼室の初期燃焼時は前方に移動した位置で拘束されて前記空気取り入れ口を塞ぎ、前記燃焼室がラム燃焼に切り替わる時に後方に移動した位置で拘束されて当該空気取り入れ口を開放し、前記カバー内面と前記外形との間に吸気流路を形成する飛しょう体。
【請求項２】
前記ランプは、前記外形の前記胴体外周面に対する傾斜角が、前記空気取り入れ口の開口面の前記胴体外周面に対する傾斜角よりも小さい請求項１に記載の飛しょう体。
【請求項３】
前記溝は、前記胴体近傍の気流を胴体表面よりも低い位置に曲げ、前記空気取り入れ口から境界層が吸い込まれないようにする請求項１または請求項２に記載の飛しょう体。
【請求項４】
前記ランプを前後の細かい間隔で移動し、停止させる駆動装置と、前記駆動装置による前記ランプの移動位置を制御する制御装置を備えた請求項１から請求項３の何れか１項に記載の飛しょう体。
【請求項５】
前記空気取り入れ口よりも開口が小さく、前記空気取り入れ口の前方の境界層を吸い込む抽気ダクトを備えた請求項１から請求項４の何れか１項に記載の飛しょう体。
【発明の詳細な説明】
【技術分野】
【０００１】
この発明は、空気取り入れ式推進装置を有し、超音速で飛翔する飛しょう体に関する。
【背景技術】
【０００２】
従来、空気取り入れ式推進装置を有し、超音速で飛翔する飛しょう体においては、ラム燃焼中の飛しょう条件により、空気取り入れ口（以下、インテークと称する）から取り込まれる空気流量の減少、及び圧力損失の増加等により、エンジン性能が劣化するという問題がある。それを解決するため、飛しょう状況に応じて、超音速インテークの入口面積及び形状の可変機構を備えた飛しょう体が知られている。
【０００３】
このような超音速空気取り入れ式推進装置を有する飛しょう体の一例として、超音速インテークの前後にスライド可能に取り付けられたランプと、前記ランプを前後にスライドさせる駆動装置と、飛しょう状況に応じて前記駆動装置を制御する制御装置を備えた飛しょう体が知られている（例えば特許文献１参照）。
【先行技術文献】
【特許文献】
【０００４】
【特許文献１】特開２００３−１１３７４０号公報
【発明の概要】
【発明が解決しようとする課題】
【０００５】
しかしながら特許文献１に記載された飛しょう体は、従来の空気取入式推進装置を有する飛しょう体と同様、飛しょう体の胴体周辺に発生する境界層を吸い込まないように、インテークを機体から離して配置する必要がある。このため飛しょう体の進行方向（機体中心軸）からみた正面投影面積が増加して、空気抵抗が増加するという問題がある。また、ブースト時にはインテークカバーが取り付けられ、ラムジェットに移行する際に分離する必要がある。その場合、分離したインテークカバーが飛散しないように工夫しなければならないという問題がある。さらにブースト時には、インテークカバーによりインテーク前方に強い衝撃波が発生し、大きな造波抵抗が発生するという問題がある。
【０００６】
この発明は、係る課題を解決するためになされたものであり、ブースト時のインテークカバーが不要であって、かつ正面投影面積を増やさないようインテークを機体から離さずに配置することで、ブースト時の空気抵抗を減少できる飛しょう体を得ることを目的とする。
【課題を解決するための手段】
【０００７】
この発明による飛しょう体は、外周に、開口面が燃焼室に通じる空気取り入れ口を有し、当該空気取り入れ口周辺の外周面に溝が形成された胴体と、前記空気取り入れ口の周囲を覆うカバーと、前記溝の底面に接触して前記胴体に取り付けられ、前記空気取り入れ口に向かって前後方向にスライド可能に支持されるとともに、外形が傾斜曲面形状をなすランプと、を備え、前記ランプは、前記燃焼室の初期燃焼時は前方に移動した位置で拘束されて前記空気取り入れ口を塞ぎ、前記燃焼室がラム燃焼に切り替わる時に後方に移動した位置で拘束されて当該空気取り入れ口を開放し、前記カバー内面と前記外形との間に吸気流路を形成するものである。
【発明の効果】
【０００８】
この発明によれば、ブースト時並びにラムジェット燃焼時の空気抵抗をより減少させることができるため、飛しょう体の飛行距離を延伸することができる。
【図面の簡単な説明】
【０００９】
【図１】実施の形態１による飛しょう体の構成を説明するための図である。
【図２】実施の形態１におけるインテークの詳細な構成を示す図である。
【図３】実施の形態１における飛しょう体の動作を説明する図である。
【図４】実施の形態１における巡航時のインテーク周りの気流を示す図である。
【図５】実施の形態１におけるブースト時のインテーク周りの気流を示す図である。
【図６】従来の飛しょう体におけるブースト時のインテーク周りの気流を示す比較図である。
【図７】実施の形態１によるインテーク開放時のインテーク入口の流速分布を示す図である。
【図８】実施の形態２におけるインテークの詳細な構成を示す図である。
【図９】実施の形態３におけるインテークの詳細な構成を示す図である。
【発明を実施するための形態】
【００１０】
実施の形態１．
以下、図を用いてこの発明に係る実施の形態１による飛しょう体について説明する。図１は、実施の形態１による飛しょう体１の構成を示す図である。図１において、飛しょう体１は、胴体１００に設けられた超音速空気取り入れ口であるインテーク２と、主燃料タンク３と、燃焼室４と、ダクト５と、補助固体燃料６と、ポートカバー７と、ブースターノズル９と、二次ノズル１０と、流量制御器１１から構成される。
【００１１】
インテーク２は、空気取り入れ口が飛しょう体１の胴体１００の表面から外側に突出して設けられている。ダクト５は、インテーク２の後方に取り付けられる。ダクト５は、取り入れた空気を飛しょう体１の内部に流入させる吐出口側が、燃焼室４に接続される。補助固体燃料６は、燃焼室４内に充填される。ポートカバー７は、ダクト５と燃焼室４の間に除去可能に取り付けられる。ブースターノズル９は、飛しょう体１の胴体内部で燃焼室４に接続され、飛しょう体１から分離可能に取り付けられる。流量制御器１１は、主燃料タンク３と燃焼室４の間に接続され、主燃料タンク３内から燃焼室４へ噴射する燃料の流量を制御する。二次ノズル１０は、飛しょう体１の胴体内部で燃焼室４に接続される。
【００１２】
図２は、実施の形態１による飛しょう体１のインテーク２の詳細な構成を示す断面図である。インテーク２は、カウル１２と、ランプ１３と、拘束装置３０からなる。カウル１２は、インテーク２及びダクト５を覆う。カウル１２はインテーク２の空気取り入れ口の開口面を塞がないように開口している。ランプ１３は、インテーク２の内部に、前記空気取り入れ口に向かった前後方向である矢印キで示す方向にスライド可能に支持され、胴体１００に取り付けられている。ランプ１３は前端部から中央部に至る外形が傾斜曲面形状をなしている。拘束装置３０は、ランプ１３を特定の位置に拘束する。拘束装置３０は、インテーク内固定部２０の回転軸に対して回転部が回転可能に支持される。拘束装置３０の回転部は、当該回転軸を中心として上下に可動する。また、ランプ１３の前方に、ランプ１３の下部突出部が嵌め込まれて、可動するための溝３１が形成される。ランプ１３は、溝３１の底面に接触して胴体１００の表面の法線方向に離れないように拘束されて取り付けられている。また、ランプ１３の上部に溝３２が設けられている。
【００１３】
図２（ａ）は、ランプ１３が前方にスライドした状態で拘束装置３０により拘束されている形態を示している。この拘束形態では、インテーク２の入口がランプ１３により塞がれるため、インテーク２の内部に外部空気は流入しない。また、拘束装置３０は、回転部が下部に降り、ランプ１３の右端に接触してランプ１３を拘束する。
【００１４】
図２（ｂ）は、ランプ１３が後方にスライドした状態で拘束装置３０により拘束されている形態を示している。この拘束形態では、インテーク２の前方から、ダクト５を介して燃焼室４内に一定の空気が流入するように、インテーク２の内部に流路が形成される。また、拘束装置３０は回転部が下部に降り、ランプ１３の溝３２に嵌め合って、ランプ１３の移動を拘束する。
【００１５】
図３は、実施の形態１による飛しょう体１の動作を説明する図であって、図３（ａ）は補助固体燃料６が燃焼し、大きな推力を発生させて加速するブースト段階、図３（ｂ）はラム燃焼へ移行する段階、図３（ｃ）はラム燃焼による巡航飛しょう段階を示す。
【００１６】
図３において、飛しょう体１は発射時にまず補助固体燃料６に点火され、図３（ａ）に示す段階となる。この段階においては、ポートカバー７は閉じられており、またインテーク２も図２（ａ）の形態であるため、外部から燃焼室４への空気の流入はない。また、流量制御器１１は閉じられており、補助固体燃料６のみが燃焼し高温高圧の燃焼ガスはブースターノズル９から機体後方へ噴出され、推力を発生する。補助固体燃料６の燃焼圧力は、大きな推力を発生させるためにラム燃焼圧力よりも高くする必要があるため、開口比の大きなブースターノズル９が用いられる。
【００１７】
補助固体燃料６の燃焼が終了すると、図３（ｂ）に示す段階へと移行する。この段階で、ブースターノズル９が飛しょう体１から分離され、２次ノズル１０に切り替えられる。この段階で、ポートカバー７が解放される。ポートカバー７には通常火工品が用いられ、火薬により破砕、分離される。また、インテーク２の内部において、図２（ａ）に示すとおり拘束装置３０の回転部が上方へ上がり、拘束装置３０によるランプ１３の拘束が解除されることにより、ランプ１３が気流から受ける圧力によって後方へスライドし、図２（ｂ）の形態へ切り替わる。これにより、外部気流がインテーク２へ流入して減速・圧縮された後、ダクト５を経て燃焼室４へ導かれ、２次ノズル１０を通して機体後部へ排気される。
【００１８】
しかる後、流量制御器１１を開き、図３（ｃ）に示す段階へと移行する。この段階においては、矢印アで示すように、インテーク２から取り込まれた空気は、圧縮されて高温高圧となり燃焼室４へ流入する。また主燃料タンク３の燃料は流量制御器１１により燃焼室４へ噴射され、空気と混合、燃焼し、高温高圧の燃焼ガスとなって、２次ノズル１０を通して後方へ噴射され推力を発生する。ラム燃焼圧力は固体補助燃料の燃焼圧力よりも低いことから、より開口比の小さな２次ノズル１０が用いられる。
【００１９】
すなわち、ランプ１３は、燃焼室４の初期燃焼（ブースト燃焼）時は前方に移動した位置で拘束されてインテーク２を塞ぎ、燃焼室４がラム燃焼に切り替わる時に後方に移動した位置で拘束されてインテーク２を開放し、カウル１２の内面とランプ１３の外表面との間にダクト５に繋がる吸気流路を形成する。
【００２０】
次に、各段階でのインテーク２の動作について説明する。図４は巡航飛行時でのインテークまわりの気流を示す図であり、図２（ｂ）、図３（ｃ）に対応する。インテーク２に気流が入るよう、ランプ１３が後方の位置にスライドして固定されている。この状態では、ランプ１３の先端から斜め衝撃波１４が発生する。気流は衝撃波１４を通り過ぎたのち、ランプ１３に沿って方向を変え、衝撃波後方にあるランプ表面の圧力が増加することにより、インテーク２に空気抵抗が生じる。
【００２１】
図５はブースト段階でのインテークまわりの気流を示す図であり、図２（ａ）、図３（ａ）に対応する。インテークに気流が入らないよう、ランプ１３が前方の位置に配置されており、ランプ１３の先端から斜め衝撃波１４が発生する。気流は衝撃波１４を通り過ぎたのち、ランプに沿って方向を変えるが、ランプ１３と気流の角度は図４のブースト時の形態での角度と変わらないため、インテークによって生じる空気抵抗はブースト時の形態と同等である。ここで、ランプ１３は、その外表面の胴体１００の外周面に対する傾斜角度が、インテーク２の開口面の胴体外周面に対する傾斜角度よりも小さくなっている。
【００２２】
比較のため、従来のインテーク５０の動作についても図を用いて説明する。図６はブースト時における従来のインテーク５０の構成およびインテーク５０周りの気流を示す比較図である。インテーク５０はインテークカバー８によって覆われている。ブースト時にはインテーク５０に気流が入らないようカウル１２とランプ１３の先端を結ぶ線上にインテークカバー８が配置されている。インテークカバー８により、ランプ１３の先端から強い斜め衝撃波１４が発生する。インテークカバー８はランプ１３に比べ、気流に対して大きな傾斜角度で取り付けられている。このため衝撃波１４の後方にあるインテークカバー８の表面圧力は、図４で示したランプ表面の圧力よりも増加する。そのため従来の飛しょう体では巡航時に比べて非常に大きな空気抵抗が発生する。
【００２３】
図７は、実施の形態１による飛しょう体１のインテーク開放時のインテーク入口の流速分布を示す図であり、符号３３はインテーク前方の速度分布を示している。飛しょう体表面近傍には気流速度が遅い境界層３４が生じるが、ランプ１３の前方に備えられた溝３１により、機体近傍の気流は下に曲げられる。すなわち、溝３１は、胴体１００の近傍の気流を胴体１００の表面よりも低い位置に曲げ、インテーク２から境界層が吸い込まれないようにしている。このため境界層３４はインテーク内部へは入らない。そのためインテーク内部には十分流速の速い気流のみが取り込まれる。
【００２４】
ところで、上記実施の形態はあくまでも一例であって、飛しょう体１の用途によって種々の形態にすることができるとともに、ハードウェア構成もシステム構築時の最新の技術を駆使して構成されることは言うまでもない。例えば、拘束装置３０も一例であって、スライドするランプ１３を拘束するための機構には様々な方式があり、拘束装置３０の駆動力もばね、磁石等を用いる他、様々な構成があることは言うまでもない。
【００２５】
以上説明したように、この実施の形態１に係る飛しょう体１によれば、前後にスライド可能なランプ１３を、空気取り入れ口であるインテーク２から空気が流入しないように前方に配置することで、ブースト時にインテークカバーが不要となる。このため、インテークカバーが分離後に飛散して機体と衝突することを防止できる。
【００２６】
また、インテークカバーに比べてインテーク２の前方に生じる衝撃波を弱めることができる。このため、ブースト時の空気抵抗を増加させないようにすることができる。また、ラムジェット巡航時にはランプ１３前方に溝３１を設けることによって、インテーク２から流入する空気流量が増加し、ラムジェットエンジンの推進性能が向上する。さらに機体に密着してインテークを配置できることから、従来よりも前面投影面積が減少して空気抵抗を下げられるため、燃料を燃焼させて飛行する飛しょう体の飛距離を伸ばし、飛しょう体の射程距離を延伸する効果が得られる。
【００２７】
以上説明した通り、実施の形態１による飛しょう体１は、外周に、開口面が燃焼室に通じる空気取り入れ口（インテーク２）を有し、当該インテーク２周辺の外周面に溝が形成された胴体１００と、前記インテーク２の周囲を覆うカウル１２と、前記溝３１の底面に接触して前記胴体１００に取り付けられ、前記インテーク２に向かって前後方向にスライド可能に支持されるとともに、外形が傾斜曲面形状をなすランプ１３と、を備え、前記ランプ１３は、前記燃焼室４の初期燃焼時は前方に移動した位置で拘束されて前記インテーク２を塞ぎ、前記燃焼室４がラム燃焼に切り替わる時に後方に移動した位置で拘束されて当該インテーク２を開放し、前記カウル１２内面と前記外形との間に吸気流路を形成することを特徴とする。
【００２８】
また、ランプ１３は、前記外形の前記胴体外周面に対する傾斜角度が、前記インテーク２の開口面の前記胴体１００の外周面に対する傾斜角度よりも小さくなっている。
【００２９】
また、溝３１は、前記胴体１００の近傍の気流を胴体１００の表面よりも低い位置に曲げ、前記インテーク２から境界層が吸い込まれないようにしている。
【００３０】
かくして、実施の形態１に係る飛しょう体１によれば、ブースト時のインテークカバーが不要であり、かつインテーク開放後のラムジェット飛しょう時と同等な小さい空気抵抗を実現するのみならず、正面投影面積を増やさないようインテークを機体から離さずに配置することで空気抵抗を減少できる飛しょう体を得ることができる。
【００３１】
実施の形態２．
図８は、この発明に係る実施の形態２による飛しょう体１の超音速空気取り入れ口の詳細な構成を示す断面図である。インテーク２は、カウル１２と、ランプ１３と、駆動装置１７と、制御装置１８からなる。ランプ１３は、インテーク内部に矢印キで示す方向にスライド可能に取り付けられる。駆動装置１７は、ランプ１３を前後にスライドさせる。制御装置１８は、飛しょう状況に応じて駆動装置１７の可動位置を細かく調整する位置制御を行う。駆動装置１７は、例えば油圧シリンダ、直動シリンダ等により構成される。
【００３２】
図８（ａ）は、ランプ１３が駆動装置１７により前方にスライドした形態を示しており、この形態ではインテーク２の入口がランプ１３により塞がれる。このため、インテーク内部に外部空気は流入しない。図８（ｂ）はランプ１３が駆動装置１７により後方にスライドした形態を示している。この形態ではインテーク２の前方から一定の空気が流入するようにインテーク２の内部に流路５が形成される。また、ランプ１３の前方に溝３１が形成される。図８（ｃ）はランプ１３が駆動装置１７により前方と後方の間の位置にスライドした形態を示している。この形態では、ラム燃焼中の飛しょう条件により空気取り入れ口から取り込まれる空気流量を制御でき、圧力損失の増加によるエンジン性能の劣化を防止できる。
【００３３】
以上説明したように、この実施の形態２に係る飛しょう体１は、ランプ１３を前後のスライド方向に細かい間隔で移動し、停止させる駆動装置１７と、駆動装置１７によるランプ１３の移動位置を制御する制御装置１８を備えている。このように駆動装置１７によりランプ１３を可動させることで、空気取り入れ口であるインテーク２から取り込まれる空気流量を細かく調整することができるので、実施の形態１で得られる効果に加えて、空気流量の減少や圧力損失の増加によるエンジン性能の劣化を防止できるという効果が得られる。
【００３４】
実施の形態３．
図９はこの発明に係る実施の形態３による飛しょう体１の構成を示す側面図である。この実施の形態３に係る飛しょう体１は、ランプ１３の下方から後方側面に空気が通過するように抽気ダクト３２が設けられる。その他の構成は、実施の形態１または実施の形態２と同様である。
【００３５】
ランプ１３が後方に配置される際に、溝３１の空気はランプ１３の下方に備えられた抽気ダクト３２を通じてインテーク２の側面から排出される。そのため、壁近傍の境界層は溝３１に吸収されるため、インテーク２から流入する空気の流量が増加し、インテーク２の効率が向上する。
【００３６】
以上説明したように、この実施の形態３に係る飛しょう体１は、インテーク２よりも開口が小さく、インテーク２の前方の境界層を吸い込む抽気ダクト３２を備えたことを特徴としている。このように抽気ダクト３２によりインテーク前方の気流の境界層を排除することにより、インテーク効率が向上し、射程延伸の効果が得られる。
【符号の説明】
【００３７】
１  飛しょう体、２  超音速空気取り入れ口（インテーク）、３  主燃料タンク、４  燃焼室、５  ダクト、６  補助固体燃料、７  ポートカバー、９  ブースターノズル、１０  ２次ノズル、１１  流量制御器、１２  カウル、１３  ランプ、１４  斜め衝撃波、１７  駆動装置、１８  制御装置、３０  拘束装置、３１  溝、３２  抽気ダクト、３３  速度分布、３４  境界層。
【図１】
2015168314.tif 000003
【図２】
2015168314.tif 000004
【図３】
2015168314.tif 000005
【図４】
2015168314.tif 000006
【図５】
2015168314.tif 000007
【図６】
2015168314.tif 000008
【図７】
2015168314.tif 000009
【図８】
2015168314.tif 000010
【図９】
2015168314.tif 000011